(57)【特許請求の範囲】
【請求項１】
光ユニット（６）を受ける受容構造体（８）にして、該光ユニットは、自動車のフェンダ（１）に嵌合するガラス（５）を有し、フェンダ（１）とガラス（５）は、光ユニットのガラス（５）をフェンダに対する基準位置に位置せしめるための手段（１６〜２０）を含む、前記受容構造体（８）であって、該受容構造体が、
受容構造体（８）をフェンダに固定する固定手段（１３、１４）と、
光ユニット（６）を受容構造体（８）に固定する固定手段（２１〜２６）であって、ガラスを基準位置に位置せしめるための手段によって課されたフェンダに対するガラス（５）の基準位置を維持する固定手段とを含むことを特徴とする受容構造体（８）。
【請求項２】
プラスティック材料でつくられる請求項１に記載の受容構造体。
【請求項３】
フェンダ（１）を局所的に補強するように配置された請求項１または請求項２に記載の受容構造体。
【請求項４】
受容構造体に対して光ユニットを固定する固定手段は、自動車に光ユニットを固定する唯一の手段である請求項１から３のいずれか一項に記載の受容構造体。
【請求項５】
受容構造体の寸法は、フェンダの上方リム（１１）と下方リム（１２）との間に受けられるような寸法である請求項１から４のいずれか一項に記載の受容構造体。
【請求項６】
光ユニット（６）の近傍でフェンダ（１）の塗装面のふくれを防止するように成形されている請求項１から５のいずれか一項に記載の受容構造体。
【請求項７】
フェンダに固定された光ユニットを支持する支持手段（２７、２８）を含み、前記支持手段が、車の構造体に取り付けるように設計されている請求項１から６のいずれか一項に記載の受容構造体。
【請求項８】
支持手段（２７、２８）は、受容構造体に固定されている請求項７に記載の受容構造体。
【請求項９】
支持手段（２７、２８）は、フェンダに対して少なくとも１つの自由度を有する請求項７または請求項８に記載の受容構造体。
【請求項１０】
支持手段は、スライドウェイ（２８）である請求項９に記載の受容構造体。
【請求項１１】
受容構造体（８）をフェンダに固定する固定手段は、受容構造体をフェンダに接着、接合、溶接、クリップ止め、リベットによる固定、ヘッディング、またはボルト固定するからなる請求項１から１０のいずれか一項に記載の受容構造体。
【請求項１２】
受容構造体（８）をフェンダに固定する固定手段および／または光ユニット（６）を受容構造体（８）に固定する固定手段は、可融性である請求項１から１１のいずれか一項に記載の受容構造体。
【請求項１３】
ホイールアーチを固定する手段を含む請求項１から１２のいずれか一項に記載の受容構造体。
【請求項１４】
歩行者の脚部または臀部に対する衝撃エネルギーを吸収するように構成されている請求項１から１３のいずれか一項に記載の受容構造体。
【請求項１５】
自動車のフェンダ（１）と構造部品（３１）との間で連結インターフェイス（３０）を含む請求項１から１４のいずれか一項に記載の受容構造体。
【請求項１６】
連結インターフェイス（３０）は、スライディング固定部材にある請求項１５に記載の受容構造体。
【請求項１７】
連結インターフェイス（３０）は、乗員の頭への衝撃を吸収するエネルギー吸収器からなる請求項１５または請求項１６に記載の受容構造体。
【請求項１８】
ウインドシールドウオッシャジャー、タンク、ヘッドライトウオッシャ、ライト、または電子装置のような自動車の機能部材を固定する固定手段を含む請求項１から１７のいずれか一項に記載の受容構造体。
【請求項１９】
フェンダ（１）とガラス（５）を含む光ユニット（６）とを含み、請求項１から１８のいずれか一項に記載の受容構造体を含むことを特徴とする自動車の外側モジュール。
【請求項２０】
フェンダ（１）はプラスティック材料からつくられる請求項１９に記載の外側モジュール。
【請求項２１】
請求項１から１８のいずれか一項に記載の受容構造体を含むことを特徴とする自動車のフェンダ。
【請求項２２】
方法が、
光ユニット（６）のガラス（５）をフェンダ（１）に対する基準位置に位置せしめ、
ユニットがその基準位置に位置せしめられたときに得られた位置を最終的に維持するように光ユニット（２４〜２６）および受容構造体（２１〜２３）にそれぞれ設けられている手段（２１〜２６）によって受容構造体に光ユニット（６）を固定することからなることを特徴とする、請求項１から１８のいずれか一項に記載の受容構造体を備える車体のフェンダに光ユニット（６）を取り付ける方法。
【発明の詳細な説明】
【技術分野】
【０００１】
本発明は、光ユニットを受けるための構造体、光ユニットを受けることができる車体部分ならびに車体部分および光ユニットを含む外側モジュールに関する。
【背景技術】
【０００２】
自動車を組み立てるための本技術は、組立ラインから離れて準備され、それらが嵌合される部材の全てとともに自動車本体にその後嵌合する、複雑性の度合いが多様なモジュールをつくる傾向を有し、それによって組立ラインおよび車を製造するために必要な時間を著しく短縮している。
【０００３】
したがって、光ユニットは、これまで、前端モジュールタイプの受容構造体に取り付けられ、理想的な車体に対して画定された寸法にしたがってこのような受容構造体に配置され、方向が決められている。この理想的な車は、基準のフレームとして作用するゲージによって表されるが、光ユニットは、受容構造体に固定されている。
【０００４】
実際問題として、車体は、比較的に大きな寸法上の変化を示すので、このような車体に嵌合されるモジュールは、満足される態様で光ユニットを位置決めすることができない。したがって、光ユニットを再び位置決めするために後続の調整を実行することが必要なことがわかった。
【０００５】
さらに詳細には、複数の部品の公差の範囲が光ユニットを取り付けるときに累積することから困難が生じる。
【０００６】
光ユニットおよび本体に固有の公差範囲とは別に、ゲージの使用は、まず、ゲージに対するモジュールへの光ユニットの位置決め、次に、本体へのモジュールの位置決めに関連する公差範囲を付加する。
【発明の開示】
【発明が解決しようとする課題】
【０００７】
本発明の目的は、自動車の外側モジュールの公差範囲のこの累積を低減することである。
【課題を解決するための手段】
【０００８】
本発明は、次の説明を読むことによって示される他の利点を呈する。
【０００９】
本発明は、自動車のフェンダに嵌合するためのガラスを有する光ユニットを受けるための受容構造体を提供し、フェンダとガラスが光ユニットのガラスをフェンダに対して基準位置に入れ込むための手段を含み、受容構造体は、
受容構造体をフェンダに固定するための固定手段と、
光ユニットを受容構造体に固定するための固定手段とを有し、この手段は、ガラスを基準位置に入れ込むための手段によって負荷されるときフェンダに対してガラスの基準位置を維持することを特徴とする。
【００１０】
他の特徴によれば、次のものが選択される。
【００１１】
受容構造体は、プラスティック材料でつくられる。
【００１２】
それは、フェンダを局所的に補強するようになっている。
【００１３】
受容構造体に対して光ユニットを固定するための固定手段は、自動車に光ユニットを固定するための唯一の手段である。
【００１４】
受容構造体の寸法は、それがフェンダの上方リムと下方リムとの間に受けられるような寸法である。
【００１５】
それは、光ユニットの近傍でフェンダの塗装面のふくれ（ｂｌｉｓｔｅｒ）を防止するように成形されている。
【００１６】
それは、フェンダに固定された光ユニットを支持するための支持手段を含み、前記支持手段は、自動車の構造体に取り付けるように設計されている。
【００１７】
支持手段は、受容構造体に固定されている。
【００１８】
支持手段は、フェンダに対して少なくとも１つの自由度を有する。
【００１９】
支持手段は、スライドウェイである。
【００２０】
受容構造体をフェンダに固定するための固定手段は、受容構造体をフェンダに接着、接合、溶接、クリップ止め、リベットによる固定、ヘッディング、またはボルト固定することからなる。
【００２１】
受容構造体をフェンダに固定するための固定手段および／または光ユニットを受容構造体に固定するための固定手段は、可融性（ｆｕｓｉｂｌｅ）である。
【００２２】
それは、ホイールアーチを固定するための手段を含む。
【００２３】
それは、歩行者（ｐｅｄｅｓｔｒｉａｎ）の脚部または臀部に対する衝撃エネルギーを吸収するように構成されている。
【００２４】
それは自動車のフェンダと構造部品との間で連結インターフェイスを含む。
【００２５】
連結インターフェイスは、スライディング固定部材からなる。
【００２６】
連結インターフェイスは、歩行者の頭への衝撃を吸収するエネルギー吸収器からなる。
【００２７】
それは、ウインドシールドウオッシャジャー、タンク、ヘッドライトウオッシャ、ライト、または電子装置のような自動車の機能部材を固定するための固定手段を含む。
【００２８】
また、本発明は、フェンダおよびガラスを含む光ユニットを含む自動車用の外側モジュールを提供し、そのモジュールは、それが上述したような受容構造体を含むことを特徴とする。
【００２９】
また、本発明は、上述したような受容構造体を含む自動車のフェンダを提供する。
【００３０】
最後に、本発明は、上述したような受容構造体を有する車体のフェンダに光ユニットを取り付ける方法を提供し、この方法は、光ユニットのガラスをフェンダに対する基準位置に入れ込み、
ユニットが基準位置に入れ込まれたときに得られる位置を最終的に維持するために光ユニットおよび受容構造体にそれぞれ設けられた手段によって受容構造体に光ユニットを固定することからなることを特徴とする。
【００３１】
本発明は、単に例示として挙げられ、また添付図面を参照してなされた次の説明を読むことによってさらに理解できるであろう。
【発明を実施するための最良の形態】
【００３２】
図面を参照すると、種々の部品が概略的に示されている。それらの形状は、所望の用途によって変化させることができる。
【００３３】
図面は、前方部分２および側方部分３を含むプラスティック材料のフェンダ１を示している。前方部分は、ガラス５と一体となっているハウジング７を含む光ユニット６のガラス５の開口４を画定している。
【００３４】
フェンダ１の前方部分２と光ユニット６との間に受容構造体８が間に挿入されるように設計されている。この構造体は、３０％から４０％のタルクで充填されたポリプロピレンからつくられており、フェンダの前方部分２に対して押されるような形状の前部分９とフェンダの側方部分３に従うような形状のサイド部分１０を含む。構造体８の寸法は、フェンダの上方リム１１および下方リム１２の間に受けられるようになっている。溶接ライン（図示せず）は、フェンダ１に受容構造体８を固定するための手段を構成している。さらに、固定タブ１３および１４は、追加の固定手段を設けるためにフェンダの上縁部１１および受容構造体８上にそれぞれ設けられる。
【００３５】
前部分９において、受容構造体８は、前記構造体が前部分に固定されるとき、フェンダ内の開口４と一致するウインドウ１５を有する。光ユニット６のガラス５は、開口４内の位置につき、フェンダの前面と同一平面になるようにウインドウ１５を通過することができる。
【００３６】
図３および図４でさらにはっきりと見ることができるように、開口４の周囲は、フェンダに対する基準位置に光ユニットのガラスを押し込むために平衡点と称される支持点を構成する支承面を有する。
【００３７】
２つの第１の支承面１６および１７は、自動車の長手方向（Ｘ）の位置決めを行うために開口４の各へりに配置されている。開口４の下方水平枠（ｍａｒｇｉｎ）の上面に配置されている支承面１８は、垂直方向（Ｚ）の位置決めを行う。
【００３８】
さらに、光ユニットのガラス５はその側縁部の１つに突出部１９を含み、この突出部１９は、フェンダのリムに形成された半楕円形の凹所に入り込む。突出部は、Ｘ方向に対して第３の位置決めを行い、Ｚ方向に対して第２の位置決めを行う。
【００３９】
最後に、支承面２０は、開口４の側方の境界の一方で、自動車の横方向（Ｙ）に対する位置決めを行う。
【００４０】
これらの６つの固定支承点によって、ガラス５は、フェンダの前面２に対して押されるとき、フェンダに対する基準位置に適切に押し込まれる。
【００４１】
組立中、光ユニット６は、ガラスがフェンダに対して基準位置にある位置に一時的に保持され、光ユニットは、光ユニット６および受容構造体８にそれぞれ形成された固定タブ２１、２２、２３、２４、２５および２６にボルトを通過させることによって受容構造体に固定される。これらのタブは、ガラスがフェンダに対しての基準位置に押し込まれるときに得られるような受容構造体の光ユニットのための最終的な位置を維持するように変形する能力を提供する。
【００４２】
さらに、光ユニット６に関しては、受容構造体は、前部分９と一体的に形成され、光ユニットの場所のすぐ下に配置されたスライドウェイ２７の形態の支持手段と、自動車の構造部分に取り付けるためのブラケット２８とを備えている。これらの支持手段は、フェンダに対するある程度の自由度を含み、横方向Ｙに沿って自由に摺動が生じることができる。したがって、フェンダは、光ユニットに対する支持を低下させることなく、例えば、日光に対する露出の結果として、熱膨張を受けることができる。
【００４３】
スライドウェイ２７は、ヒューズ部材を有利に構成するか、または離脱可能な（ｄｅｃｌｕｔｃｈａｂｌｅ）下方固定部材を有し、したがって、高エネルギーで衝突した場合（ダナー衝撃）、光ユニットを保存することができる。
【００４４】
また、受容構造体は、他の機能を提供することができる。特に、
受容構造体のサイド部分１０の下縁２９であって、フェンダの形状に合致する下縁９に沿ったホイールアーチを固定するための手段。
【００４５】
自動車の上側側方レール３１にフェンダの上縁を連結する連結インターフェイス３０の少なくとも一部の存在。
【００４６】
歩行者の脚部または臀部とフェンダの前方部分２とが衝突した場合、エネルギーを吸収することのできる構造。
【００４７】
ある人がフェンダに座った場合に支持を提供する構造。
【００４８】
フェンダと受容構造体との間の固定手段がヒューズとして作用し、この場合、可融性は、タブ１３および１４によって、またはそれらを一緒に連結するための部材によって提供することができる。
【００４９】
光ユニット６と受容構造体との間の固定手段がヒューズとして作用し、この可融性は、タブ２１−２６により提供されており、または、それらを一緒に連結する部材により提供されている。
【００５０】
タンクおよび／または電子装置および／または照明装置および／またはクリーニング装置のような機能的な部材の支持体を提供する。
【００５１】
これらの各々の機能は、受容構造体それ自体がプラスティック材料からつくられるとき、受容構造体により容易に加えられるものである。
【００５２】
受容構造体によって提供される利点については、フェンダへの局所的な補強が行われることを述べることができる。受容構造体はほとんど膨張しないので、日光にさらされた場合に光ユニットの周りでフェンダの変位を制限するが、光ユニットの近傍から離れている場合には、フェンダはさらにずっと均一な態様で膨張可能である。受容構造体が可撓性のプラスティック材料でつくられているとき、ダナー衝撃に耐えることができ、これは、前記受容構造体にこの機能を統合することによって提供することができる利点を示す。
【図面の簡単な説明】
【００５３】
【図１】本発明の特定の実施例を構成する外側モジュールの左前方フェンダの内側から見た分解斜視図である。
【図２】図１のＩＩの正面図である。
【図３】図２の領域ＩＩＩの拡大図である。
【図４】図２のＩＶ−ＩＶの断面図である。
【図１】
0004593560.tif 000002
【図２】
0004593560.tif 000003
【図３】
0004593560.tif 000004
【図４】
0004593560.tif 000005